(57)【要約】【課題】  意匠面の光源から距離が離れた部分に高輝度の照明を実現することができる照光モジュールを提供する。【解決手段】  文字盤１に配置された意匠面１ａの背面を、光源３の照射光で照明する照光モジュール２であって、光源３と文字盤１との間に設けられ、光源３の入射光を意匠面１ａの光源と反対方向へ反射させる第１反射曲面４と、文字盤１の背面側であって意匠面１ａの光源３から最も遠い部分に対応する位置に設けられ、第１反射曲面４を介して入射される光源３の照射光を、意匠面１ａ方向へ乱反射させる第２反射曲面５と、を備え、第１反射曲面４を、光源３を焦点Iとし、第２反射曲面５上の点を焦点IIとする楕円形状に設定した。【選択図】      図３
2007271270.tif 000002
【特許請求の範囲】
【請求項１】
文字盤に配置された意匠面の背面を、光源の照射光で照明する照光モジュールであって、
前記光源と前記文字盤との間に設けられ、光源の入射光を前記意匠面の光源と反対方向へ反射させる第１反射曲面と、
前記文字盤の背面側であって前記意匠面の前記光源から最も遠い部分に対応する位置に設けられ、前記第１反射曲面を介して入射される光源の照射光を、意匠面方向へ乱反射させる第２反射曲面と、
を備え、
前記第１反射曲面を、前記光源を第１焦点とし、前記第２反射曲面上の点を第２焦点とする楕円形状に設定したことを特徴とする照光モジュール。
【発明の詳細な説明】
【技術分野】
【０００１】
本発明は、車両情報等を表示する文字盤の意匠面の背面に、光源からの照射光を導光するための照光モジュールの技術分野に属する。
【背景技術】
【０００２】
従来の照光モジュールでは、意匠面である液晶部の輝度ムラをなくすことを目的とし、液晶部においてLEDから近い部分にはLEDの照射光を直接到達させ、LEDから遠い部分にはLEDの反射光を到達させている（例えば、特許文献１参照）。
【特許文献１】特開２００５−２１４７９０号公報
【発明の開示】
【発明が解決しようとする課題】
【０００３】
しかしながら、上記従来技術にあっては、意匠面のLEDから遠距離の部分では、光路途中の光量減衰が大きくなるため、十分な照度が得られないという問題があった。
【０００４】
本発明は、上記問題に着目してなされたもので、その目的とするところは、意匠面の光源から距離が離れた部分に高輝度の照明を実現することができる照光モジュールを提供することにある。
【課題を解決するための手段】
【０００５】
上記目的を達成するため、本発明では、
文字盤に配置された意匠面の背面を、光源の照射光で照明する照光モジュールであって、
前記光源と前記文字盤との間に設けられ、光源の入射光を前記意匠面の光源と反対方向へ反射させる第１反射曲面と、
前記文字盤の背面側であって前記意匠面の前記光源から最も遠い部分に対応する位置に設けられ、前記第１反射曲面を介して入射される光源の照射光を、意匠面方向へ乱反射させる第２反射曲面と、
を備え、
前記第１反射曲面を、前記光源を第１焦点とし、前記第２反射曲面上の点を第２焦点とする楕円形状に設定したことを特徴とする。
【発明の効果】
【０００６】
本発明の照光モジュールでは、第１反射曲面の形状を、光源を第１焦点とし、第２反射曲面上の点を第２焦点とする楕円形状に設定したため、第１反射曲面に入射された光源の照射光は、楕円面鏡の集光効果により、第２反射曲面上の第２焦点に集光された後、文字盤方向へ乱反射される。すなわち、第２反射曲面の１点に光源の照射光を集光することで、意匠面の光源から最も遠い部分の背面に仮想的な光源を設定し、この仮想光源によって意匠面の光源から最も遠い部分の反射光の輝度を高めようとするものである。
この結果、意匠面の光源から距離が離れた部分に高輝度の照明を実現することができる。
【発明を実施するための最良の形態】
【０００７】
以下、本発明の照光モジュールを実現するための最良の形態を、実施例１に基づいて説明する。
【実施例１】
【０００８】
まず、構成を説明する。
図１は実施例１の照光モジュールを適用した車両用スピードメータの文字盤１の正面図(a)と照光モジュール２の正面図(b)であり、図２は実施例１の照光モジュール２の斜視図である。
【０００９】
文字盤（表示部）１は、背面から照射された光を透過することによって、意匠面１ａに表示された情報を明示する。
照光モジュール２は、中空略箱状を呈し、文字盤１の意匠面１ａと対応する位置には、光源３の照射光を通過させる略扇形の開口部２ａが形成されている。
【００１０】
図３は、実施例１の照光モジュール２の径方向形状を示す図２のS3-S3断面図であり、実施例１の照光モジュール２は、光源３と、第１反射曲面４と、第２反射曲面５とを備えている。
光源３は、例えばLEDが用いられ、開口部２ａを形成する扇形の略中心位置に配置されている。
【００１１】
第１反射曲面４は、光源３と文字盤１との間に設けられ、開口部２ａの扇形状と対応する周方向形状を有している。この第１反射曲面４の径方向形状は、光源３の入射光を文字盤１の意匠面１ａの外径方向へ反射させる鏡面仕上げが施されている。
【００１２】
第２反射曲面５は、文字盤１の背面側であって、意匠面１ａの光源３から最も遠い部分（意匠面１ａの最外径位置）に対応する位置に設けられ、開口部２ａの扇形状と対応する周方向形状を有している。この第２反射曲面５の径方向形状は、第１反射曲面４を介して入射される光源３の照射光を、文字盤１の方向へ乱反射させる形状または表面加工が施されている。
【００１３】
また、実施例１では、第１反射曲面４の径方向形状を、光源３を焦点I（第１焦点）とし、第２反射曲面５上の点を焦点II（第２焦点）とする楕円形状に設定している。
【００１４】
次に、作用を説明する。
［意匠面照射作用］
光源３から射出された光のうち、開口部２ａにおいて光源３から距離が近い位置には光源３の照射光が直線到達する。一方、光源３から距離が遠い位置には第１反射曲面４から射出され、第２反射曲面５により乱反射した光源３の反射光が到達する。
【００１５】
このとき、第１反射曲面４の径方向形状は、光源３を焦点I、第２反射曲面上の点を焦点IIとする楕円形状に形成されているため、第１反射曲面４を反射した光源３の反射光は、楕円面鏡の集光効果により、第２反射曲面５上の１点（焦点II）へ集光された後、文字盤１側へ乱反射される。
【００１６】
また、第１反射曲面４および第２反射曲面５は、それぞれ開口部２ａの扇形状と対応する周方向形状を有しているため、照光モジュール２を正面から見た場合、第２反射曲面５に形成される焦点IIは、図１(b)に破線で示すように、意匠面１ａの形状に対応する扇形状を成す。
【００１７】
そして、扇形状の焦点IIに集光された光源３の反射光を、第２反射曲面５により文字盤１側へ乱反射させることで、意匠面１ａの光源３から離れた部分も高輝度に照明することができる。
【００１８】
［従来技術の解説］
特開２００５−２１４７９０号公報に記載の照光モジュールは、図４に示すように、光源（LED）の照射光を液晶パネルと平行、かつ、光源と反対方向へ反射させる第１反射曲面と、第１反射曲面を介して入射される光源の反射光を文字盤の方向へ反射させる第２反射曲面を備えている。
【００１９】
すなわち、この従来技術では、液晶パネルにおいて光源から距離の離れた位置には、第１反射曲面と第２反射曲面により光源の反射光（図４のＡ）を到達させ、光源から距離が近い位置には光源の照射光（図４のＢ）を直接到達させることで、光源の照射光を液晶部にムラなく照射し、液晶表示の輝度ムラを抑制しようとするものである。
【００２０】
ところが、この従来技術では、液晶パネルの光源から距離の離れた部分に照射される反射光Ａは、照射光Ｂに対して光源から液晶パネルまでの距離、すなわち光路が非常に長くなる。したがって、光路途中の光量減衰量が照射光Ｂと比較して大きくなるため、液晶パネルの光源から距離の離れた部分に十分な輝度が得られないという問題があった。
【００２１】
［仮想光源による意匠面照射作用］
これに対し、実施例１の照光モジュール２では、第１反射曲面４の径方向形状を、光源３を焦点Iとし、第２反射曲面５上の点を焦点IIとする楕円形状に設定したため、第１反射曲面４に入射された光源３の照射光は、第２反射曲面５上の焦点IIに集光された後、文字盤１の方向へ乱反射される。
【００２２】
すなわち、第２反射曲面５の１点（焦点II）に光源３の照射光を集光することで、意匠面１ａの光源３から最も遠い部分の背面に仮想光源を設定し、この仮想光源によって意匠面１ａの光源から最も遠い部分の反射光の輝度を高めようとするものである。
この結果、意匠面１ａにおいて光源３から距離の離れた部分に照射される光量を減衰させることなく、高輝度の照明を実現することができる。
【００２３】
また、２つの焦点位置の位置関係と、第１反射曲面４の形状を変えるだけで、仮想光源の位置は自由に設定できるため、設計が容易、かつ設計自由度も高い。
【００２４】
次に、効果を説明する。
実施例１の照光モジュールにあっては、文字盤１に配置された意匠面１ａの背面を、光源３の照射光で照明する照光モジュール２であって、光源３と文字盤１との間に設けられ、光源３の入射光を意匠面１ａの光源と反対方向へ反射させる第１反射曲面４と、文字盤１の背面側であって意匠面１ａの光源３から最も遠い部分に対応する位置に設けられ、第１反射曲面４を介して入射される光源３の照射光を、意匠面１ａ方向へ乱反射させる第２反射曲面５と、を備え、第１反射曲面４を、光源３を焦点Iとし、第２反射曲面５上の点を焦点IIとする楕円形状に設定した。これにより、意匠面１ａの光源３から距離が離れた部分に高輝度の照明を実現することができる。
【００２５】
（他の実施例）
以上、本発明を実施するための最良の形態を、実施例１に基づいて説明したが、本発明の具体的な構成は、実施例１に限定されるものではなく、発明の要旨を逸脱しない範囲の設計変更等も本発明に含まれる。
【００２６】
例えば、第１反射曲面、第２反射曲面の周方向形状は、意匠面の周方向形状に応じて任意に設定することができる。また、光源としてLED以外の光源を用いてもよい。
【図面の簡単な説明】
【００２７】
【図１】実施例１の照光モジュールを適用したスピードメータの文字盤１の正面図(a)と照光モジュール２の正面図(b)である。
【図２】実施例１の照光モジュール２の斜視図である。
【図３】実施例１の照光モジュール２の径方向形状を示す図２のS3-S3断面図である。
【図４】従来の照光モジュールの構造を示す要部断面図である。
【符号の説明】
【００２８】
１  文字盤
１ａ  意匠面
２  照光モジュール
２ａ  開口部
３  光源
４  第１反射曲面
５  第２反射曲面
【図１】
2007271270.tif 000003
【図２】
2007271270.tif 000004
【図３】
2007271270.tif 000005
【図４】
2007271270.tif 000006